(57)【要約】【課題】  ＬＰガスの充填所や耐圧試験所には、廃棄処分や耐圧試験のために残ガス抜き取り処理をしなければ成らない、残ガス容器が未処理のままストックされている。ガス漏れによる臭い、火災や爆発事故、等の公害を引き起こす危険性も有る。近隣地域住民の不安と恐れは非常に重大な問題の一つとなる。又燃焼処理や大気放出と言う処理方法は、限り有る資源エネルギーの無駄な投棄に等しく。地域温暖化ガスの排出に拍車をかけている。【解決手段】  ガス容器の残ガス自動抜き取り回収装置とその工法手段を用いて、ガス容器の残ガス抜き取り回収作業を実施する。処理容器に加圧注水してガスを押し出す方法なので、気化ガスも安全確実に抜き取り回収可能。燃焼処理や大気放出と言う無駄で危険な処理方法は不要となり、回収したガスはリサイクルされる。限り有る資源エネルギーの有効利用と、地球温暖化ガス排出削減に貢献。【選択図】            図１
2007024300.tif 000002
【特許請求の範囲】
【請求項１】
ガス容器の残ガス自動抜き取り回収装置は、気化ガス回収用貯留槽２、液化ガス回収容器３、ガス抜き取りに使う水を貯めて置く貯水槽４、加圧注水ポンプＭ１、気化ガスを加圧冷却液化するためのコンプレッサーＭ２、水やガスの流れを制御する電磁弁Ａ１−Ｂ１、給水  排水バルブＡ２−Ａ３、口金付きバルブＢ２−Ｂ５、接続ホースＣ１−Ｃ３、ガス容器の内部圧力に反応する差圧スイッチＤ１、水やガスの流れを抑制する逆止弁Ｅ１−Ｅ２、電磁弁  差圧スイッチ作動表示灯等の電源制御盤Ｆ１、等の主要部分で構成する、ガス容器等の残ガス自動抜き取り回収置換するための装置。
処理容器の接続ユニットを数器増設し処理能力を増す事もできる装置。
【請求項２】
請求項１の装置の工法手段を用いて残ガス容器のガス抜き取り処理を実施すれば、燃焼処理や、事故、汚染、公害を引き起こす大気放出と言う、無駄で危険な処理方法も不要となる、安全確実に抜き取り回収置換したガスはＬＰガスとして完全利用することが可能。
装置の工法手段を用いて残ガス容器のガス抜き取り処理作業の手順を符号を用いて説明する。  Ｍ１の加圧注水ポンプを始動、１の処理容器のバルブＢ２にＣ１のホースを接続バルブを開く、Ｆ１の制御盤で電源をいれる、Ｄ１の差圧スイッチの作動によりＢ１のバルブを開く、２の気化ガス貯留槽のＡ３のバルブを開き排水、１の処理容器内の気化ガスを２の気化ガス貯留槽に置換減圧、Ｄ１の差圧スイッチの作動によりＢ１を閉じＡ１を開き１の処理容器に加圧注水する、Ｄ１の差圧スイッチの高  底圧力の設定により自動的に加圧減圧を繰り返して１の処理容器の気化ガスを２の気化ガス貯留槽に総て置換回収する、Ｆ１の制御盤にて電源を切り各電磁弁を閉じる、１の処理容器からＣ１のホースを外す、１の処理容器の口金付きバルブを外し排水  残ガス抜き取り回収作業は完了、残ガス抜き取り回収作業と並行して２の気化ガス貯留槽のＢ４のバルブを開きＭ２のコンプレッサーで加圧冷却液化する、液化ガスは３の液化ガス回収容器に置換回収、以上の作業工程にてガス容器は無傷のままで残ガス自動抜き取り置換回収処理実施の工法手段。
耐圧試験用のガス容器も無傷で残ガス完全抜き取り置換回収処理実施の工法手段。
【発明の詳細な説明】
【発明の詳細な説明】
【技術分野】
【０００１】ガス容器を廃棄処理又は耐圧試験を実施するには、ガス容器内部に残る気化ガスも事故防止のため完全に抜き取る必要が有る。
本発明となる、ガス容器の残ガス自動抜き取り回収装置とその工法手段を用いて、容器の残ガス処理作業を実施するには、ガス容器に水等を加圧注水して、ガスを安全確実に抜き取り回収置換する、回収した気化ガスは加圧冷却し液化する。
容器内部で気化した残ガスを化石燃料として使える要に、安全確実に抜き取り回収するための装置と装置の工法手段。
容器の廃棄処理作業を迅速に実行、ガスや鉄鋼資源として安全確実にリサイクルを可能にする装置と装置の工法手段
【背景技術】
【０００２】従来、残ガス容器のガス抜き取りは、ガス抜き取り装置を用いて大まかに抜き取り、後は燃焼処理又は大気放出する方法で処理をしている。この処理方法は化石燃料の無駄な消費と、炭酸ガスや可燃性ガス等、地球温暖化ガスの排出による大気汚染、ＬＰガスを燃焼処理すると、ＬＰガスの重量体積共に３倍の地球温暖化ガスと言う二酸化炭素を排出する。又大気放出したガスは風下に流れ周辺地域の窪地に溜まりガスの臭いや、火災、ガス爆発事故を起こす危険性が非常に高い。
依って、大量処理は難しい。
【発明の開示】
【発明が解決しようとする課題】
【０００３】ガス容器の気化した残ガスを抜き取り処理実施に当たり、燃焼処理、大気放出した時は二酸化炭素や可燃性ガスに依る大気汚染、ガスの臭い、火災やガス爆発等の環境破壊を起こす危険性が非常に高い、依って、連続的に大量処理は難しい、未処理の状態でストックされる事と成る。【０００４】無理に、残ガス抜き取り処理作業を実施するためには、山間地、河川、沿岸地域等、民家の少ない所で、大気放出と言う処理作業、これは地球温暖化ガスの排出と共に限られた資源エネルギーを無駄に又は違法に投棄している事になる。
【課題を解決するための手段】
【０００５】この様に、ガス容器の耐圧試験や廃棄処理作業を実施するためには、容器内部に残る気化したガスも抜き取り回収しなければ、解体、切断等の作業はできない。
本発明となる、ガス容器の残ガス自動抜き取り回収装置は、気化ガス回収用貯留槽２、液化ガス回収容器３、ガス抜き取りに使う水を貯めて置く貯水槽４、加圧注水ポンプＭ１、気化ガス貯留槽に貯めた気化ガスを加圧冷却液化するためのコンプレッサー  Ｍ２、水やガスの流れを制御する電磁弁Ａ１−Ｂ１、給水バルブＡ２、排水バルブＡ３、口金付きバルブＢ２−Ｂ５、接続ホースＣ１−Ｃ３、ガス容器の内部圧力に反応する差圧スイッチＤ１、水やガスの流れを抑制する逆止弁Ｅ１−Ｅ２、電磁弁  差圧スイッチ作動表示灯等の電源制御盤Ｆ１、等の主要部分で構成する、ガス容器の残ガス自動抜き取り回収装置。
廃棄容器との接続ホース部分Ａ１、Ｂ１、Ｃ１、Ｄ１、Ｅ１、Ｅ２、Ｆ１の部品で組み立てた部分を、１ユニットとし並列に数ユニット接続、残ガス抜き取り回収能力を拡大できる装置。【０００６】ガス容器の残ガス自動抜き取り回収装置とその工法手段を符号を用いて説明する。Ｍ１の加圧注水ポンプを始動、装置の接続ホースＣ１と残ガス抜き取り用の処理容器１の口金付きバルブＢ２を接続バルブを開く、Ｆ１の制御盤で電源をいれる、Ｄ１の差圧スイッチの作動によりＢ１のバルブを開く、２の気化ガス貯留槽のＡ３のバルブを開き排水、１の処理容器内の気化ガスを２の気化ガス貯留槽に置換減圧、Ｄ１の差圧スイッチの作動によりＢ１を閉じＡ１を開き１の処理容器に加圧注水する、Ｄ１の高  底  圧力の設定により自動的に加圧減圧を繰り返して１の処理容器の気化ガスを２の気化ガス貯留槽に総て置換回収する、Ｆ１の制御盤にて電源を切り各電磁弁を閉じる、１の処理容器からＣ１のホースを外す、１の処理容器から口金付きバルブＢ２を外し排水、これで残ガス抜き取り回収作業は完了。
残ガス抜き取り回収作業と並行して２の気化ガス貯留槽のＢ４のバルブを開きＭ２のコンプレッサーで加圧冷却液化する、液化ガスは３の液化ガス回収容器に回収置換、以上の作業工程でガス容器も無傷のままで残ガスを完全抜き取り回収する工法手段。
耐圧試験用のガス容器も無傷で安全確実に残ガス処理のできる装置の工法手段。
【発明の効果】
【０００７】ガス容器の残ガス自動抜き取り回収装置を用いて、ガス容器の口金のバルブを開いても、気化ガスが吹き出すことの無い空のガス容器、５０ｋｇ型の残ガス抜き取り回収処理をしたとき、最後まで残る高熱量のＮブタンガス、３０５ｇを回収。
実際はガス容器に内部圧力が有り、圧力の数値に等しい倍数のＬＰガスの回収となる。気化した残ガスだけでも、最大圧力は常温２０℃にて８・４気圧となり。
大気圧力の空容器内でプロパンガス２３２ｇの残量の７・４倍のプロパンガス１７１７ｇとＮブタンガス３０５ｇ合計２０２２ｇのプロパンとブタンの混合ガス、ＬＰガスを回収できる事となる。【０００８】環境に優しいＬＰガスを、環境に優しい安全確実な方法で、ガス容器内部で気化した残ガスを抜き取り回収処理をすることで、限り有る資源エネルギーを、無駄なく有効に消費活用が可能。
燃焼処理や大気放出と違って無駄な消費や違法投棄も無い。
依って、地球温暖化ガス排出削減に貢献可能。
【発明を実施するための最良の形態】
【０００９】請求項１に記載する、ガス容器の残ガス自動抜き取り回収装置は、割合に小型で簡単な構造の装置なので、設置面積も少なく、設備投資も割安で設置稼働が可能。【００１０】小規模事業とし、各地に事業展開互いに協力する。依って残ガス処理容器の回収範囲を限定する事で効率を上げ経費削減、残ガス抜き取り回収処理費用も削減可能。
【実施例１】
【００１１】実施例について図面を参照して説明する。図１はこの発明となるガス容器の残ガス自動抜き取り回収装置の機器の設置及び配管図面で有る。装置の稼働手順は次のように操作。Ｍ１の加圧注水ポンプを始動、２の気化ガス貯留槽にＡ２のバルブより注水排気、Ｃ２  Ｃ３のホースを接続各バルブを開く、１の処理容器にＣ１のホースを接続バルブを開く、Ｆ１の制御盤で電源をいれる、Ｄ１の差圧スイッチの作動によりＢ１のバルブを開く、２の気化ガス貯留槽のＡ３を開き排水、１の処理容器内の気化ガスを２の気化ガス貯留槽に置換減圧、Ｄ１の差圧スイッチの作動によりＢ１を閉じＡ１を開き１の処理容器に加圧注水する、Ｄ１の差圧スイッチの高  底圧力の設定により自動的に加圧  減圧を繰り返す、１の処理容器の気化ガスを２の気化ガス貯留槽に総て置換回収する、Ｆ１の制御盤にて電源を切り各電磁弁を閉じる、１の処理容器からＣ１のホースを外す、１の処理容器の口金付きバルブを外し排水。ガス容器の気化ガス抜き取り回収処理作業は完了。
残ガス抜き取り回収作業と並行して２の気化ガス貯留槽のＢ４のバルブを開きＭ２のコンプレッサーで加圧冷却液化する。液化ガスは３の液化ガス回収容器に置換回収。ガス容器の気化した残ガスを抜き取り、液化ガスとして回収処理完了。
【実施例２】
【００１２】廃棄用ガス容器の残ガス抜き取り回収処理作業も、速やかに安全確実大量処理が可能となり、鉄鋼資源のリサイクルに貢献可能。
【実施例３】
【００１３】処理容器との接続ホースの留め金部分を変更して。車や電化製品の冷媒ガスを抜き取り回収処理等に他方面で使用可能。
【産業上の利用可能性】
【００１４】ＬＰガス等の可燃ガスは、高圧容器に充填して貯蔵運搬、又設置して消費する。
高圧容器の充填口又はガス取り出し口は非常に小さい。ガスを消費して空となり、口金のバルブを開いても気化ガスが吹き出すことの無い、空の５０ｋｇ型ガス容器内でも、高火力のＮブタンガスが３０５ｇも残留している。従来の技術では、この残留ガスを完全に抜き取り回収することは非常に困難で不可能に等しい。
限られた資源エネルギーの有効利用。地球温暖化ガス排出削減。鉄鋼資源のリサイクル等の観点から見ても。各業界にとって、無くては成らない技術。
【図面の簡単な説明】
【００１５】
【図１】は請求項１に記載の。ガス容器の残ガス自動抜き取り回収装置の機器の設置及び配管図面で有る。
【符号の説明】
１                  残ガス抜き取り用処理容器
２                  気化ガス貯留槽
３                  液化ガス回収容器
４                  ガス抜き取りに使う水を貯めて置く貯水槽
Ｍ１                加圧注水ポンプ
Ｍ２                気化ガスを加圧冷却液化するためのコンプレッサー
Ａ１                給水用電磁弁
Ａ２                給水用バルブ
Ａ３                排水用バルブ
Ｂ１                ガス抜き取り用電磁弁
Ｂ２〜Ｂ５          口金付きバルブ
Ｃ１〜Ｃ３          接続ホース
Ｄ１                差圧スイッチ
Ｅ１〜Ｅ２          逆止弁
Ｆ１                電磁弁差圧スイッチ作動表示灯等の電源制御盤
【図１】
2007024300.tif 000003